(57)【要約】【課題】  仕事に従事している場合や、屋外での遮光目的の場合等、さまざま環境下においても芳香療法が可能な頭部着用体および頭部着用体用芳香体を提供すること。【解決手段】  ヘルメットや帽子等の頭部着用体本体の、頭部との着用面以外の部位に、例えば、つば部（ブリム）１３の裏側の一部に、花粉症やストレス、居眠り防止、頭痛、等に有効な香気を放出させる芳香部材２１１を着脱可能に設ける。また、頭部着用体用芳香体は、ヘルメットや帽子等の頭部着用体本体の、頭部との着用面以外の部位に着脱可能に挟持するクリップ部と、そのクリップ部に設けられ芳香療法可能な香気を放出させる芳香部とを備えて構成する。【選択図】        図１
2005220477.tif 000002
【特許請求の範囲】
【請求項１】
ヘルメットや帽子等の頭部着用体本体の、頭部との着用面以外の部位に、香気を放出させる芳香部を設けたことを特徴とする頭部着用体。
【請求項２】
前記芳香部は、芳香療法可能な芳香部材を備えていることを特徴とする請求項１記載の頭部着用体。
【請求項３】
前記芳香部は、前記頭部着用体本体に着脱可能に構成されていることを特徴とする請求項１または２記載の頭部着用体。
【請求項４】
前記芳香部は、芳香量調節可能に構成されていることを特徴とする請求項１〜３の何れか１項に記載の頭部着用体。
【請求項５】
ヘルメットや帽子等の頭部着用体本体の、頭部との着用面以外の部位に着脱可能に挟持されるクリップ部と、そのクリップ部に設けられ芳香療法可能な香気を放出させる芳香部とを備えたことを特徴とする頭部着用体用芳香体。
【発明の詳細な説明】
【技術分野】
【０００１】
本発明は、ヘルメットや帽子等の頭部着用体と、頭部着用体に装用される頭部着用体用芳香体に関する。
【背景技術】
【０００２】
遮光や安全対策等のために着用されるヘルメットや帽子等の頭部着用体は、その機能や装飾性を追求したものが多い。
そのなかで、使用者の頭部を衛生的に乾いたきれいな状態に保持させるものとして、キャップ等の帽子又は野球用等のヘルメットの内側（頭部との着用面）に貼り付けられるシート状構造体がある。このシート状構造体は、除臭、除菌、乾燥、清涼、快適、芳香機能を有しており、着用感を向上させるものとして好適なものと推察できる。
【０００３】
【特許文献１】登録実用新案第３０９１６２６号公報（第１頁、図１）
【発明の開示】
【発明が解決しようとする課題】
【０００４】
ところで、上記した頭部着用体は、車運転業務用や工場等における作業用等にも多く用いられているが、その業務を遂行するにあたり、当然のことながら、眠気や精神的な苛立ち等は、業務の弊害となるために極めて危険である。
【０００５】
この眠気を防止する手段として、さまざまなことが考えられるが、昨今、脚光を浴びている芳香療法（アロマセラピィ）も有効的な一手段と言える。
この芳香療法は、周知の通り、ラベンダーやローズマリー、ペパーミント等の芳香成分を自宅等の部屋内（浴室内を含む）に充満させ、呼吸器系を通じて体内に入りこませることで、様々な感覚を活性化させるものである。
【０００６】
しかしながら、頭部着用体を着用しているときは、芳香療法ができるような自宅等のリラックスできる環境下では必ずしもなく、上記したような仕事に従事している場合や、屋外での遮光目的の場合等、さまざまであり、そのような環境下の方がむしろ芳香療法が必要な場合もあり得る。
【０００７】
上記したように、車運転業務や工場等における作業の際に、眠気を催して、僅かな時間でも居眠りをしてしまうと、大事故に繋がったり、また、生産業務の場合、大量の不良品を発生させてしまう虞がある。
【０００８】
なお、先行技術であるシート状構造体は、芳香効果を有するものでもあるが、上記したように、キャップ等の帽子又は野球用等のヘルメットの内側（頭部との着用面）に貼り付けることから、帽子内やヘルメット内に発生する悪臭を抑制するものであり、芳香療法が行えるものではない。
【０００９】
そこで本発明は、仕事に従事している場合や、屋外での遮光目的の場合等、さまざま環境下においても芳香療法が可能な頭部着用体および頭部着用体用芳香体を提供することを目的とする。
【課題を解決するための手段】
【００１０】
上記課題を解決するために本発明にかかる頭部着用体または頭部着用体用芳香体は、下記の技術的手段を講じた。
すなわち、請求項１にかかる頭部着用体は、ヘルメットや帽子等の頭部着用体本体の、頭部との着用面以外の部位に、香気を放出させる芳香部を設けたことを特徴とする。
請求項２にかかる頭部着用体は、請求項１において、前記芳香部は、芳香療法可能な芳香部材を備えていることを特徴とする。
請求項３にかかる頭部着用体は、請求項１または２において、前記芳香部は、前記頭部着用体本体に着脱可能に構成されていることを特徴とする。
請求項４にかかる頭部着用体は、請求項１〜３の何れか１項において、前記芳香部は、芳香量調節可能に構成されていることを特徴とする。
請求項５にかかる頭部着用体用芳香体は、ヘルメットや帽子等の頭部着用体本体の、頭部との着用面以外の部位に着脱可能に挟持されるクリップ部と、そのクリップ部に設けられ芳香療法可能な香気を放出させる芳香部とを備えたことを特徴とする。
【発明の効果】
【００１１】
本発明の頭部着用体によれば、ヘルメットや帽子等の頭部着用体本体の、頭部との着用面以外の部位に、香気を放出させる芳香部を設けたことから、かかる頭部着用体を着用するだけで、仕事に従事している場合や、屋外での遮光目的の場合等、さまざま環境下においても芳香療法ができる。また、芳香効果が薄れたときは、芳香部材を取り替えるだけで、新たに芳香効果が発揮できる。
【００１２】
また、本発明の頭部着用体用芳香体によれば、ヘルメットや帽子等の頭部着用体本体の、頭部との着用面以外の部位に着脱可能に挟持するクリップ部と、そのクリップ部に設けられ芳香療法可能な香気を放出させる芳香部とを備えて構成したことによって、既存の帽子やヘルメットにおいても手軽に芳香療法ができる。また、芳香効果が薄れたときは、芳香部材を取り替えるだけで、新たに芳香効果が発揮できる。
【発明を実施するための最良の形態】
【００１３】
次に、本発明にかかる頭部着用体及び頭部着用体用芳香体の実施の形態を、添付図面を参照しながら説明する。図中、符号２１は芳香部を、符号２２は頭部着用体用芳香体をそれぞれ示す。
【００１４】
（実施の形態１）
実施の形態１は、芳香部２１を備えた頭部着用体を例示している。
実施の形態１にかかる頭部着用体は、図１に示すように、キャップ型帽子本体（図１（ａ）参照）１１やハット型帽子本体（図１（ｂ）参照）１２と、そのつば部（ブリム）１３の裏側の一部に設けられた芳香部２１とを備えてなる。
また、ニット帽（図１（ｃ）参照）の場合、折り返した際に外側に露出するようにニット帽本体１４の外側一部に芳香部２１を設けてなる。また、作業用や乗馬用等のヘルメット（図示せず）のつば部の裏側の一部に設けても良い。
【００１５】
この芳香部２１は、花粉症に有効な、ユーカリ、ローマンカモミール、ベンゾイン、ストレスに有効な、ラベンダー、ローズウッド、ミルラ、居眠り防止に有効な、ペパーミント、レモングラス、バーチ、頭痛に有効な、ペパーミント、ウィンターグリーン、ベンゾイン、集中力向上に有効な、レモン、ローズマリー、イランイラン、等々の芳香療法が可能な芳香が発散される芳香剤を含浸させた布体や樹脂体、不織布体などの芳香部材２１１を備えて構成され、図２（ａ）に示すように、マジックテープ２１２を介して帽子本体１１、１２、１４やヘルメット本体に芳香部材２１１が着脱可能に取着されたり、あるいは、図２（ｂ）に示すように、帽子本体１１、１２，１４に縫着されている。なお、芳香部材２１１の外観形状は、図１において略円形のものが例示されているが、楕円、矩形など、その形状は特に限定されない。
【００１６】
また、この芳香部材２１１は、接着剤を介してヘルメット本体や帽子本体１１、１２、１４に固着させても良い。
さらに、芳香部２１は、図２（ｃ）に示すように、上面が半分閉塞された下蓋２１３と、開口部２１４を設けた上蓋２１５とを備え、その下蓋２１３に対して上蓋２１５が所要角度回動可能に構成された芳香容器２１６に上記した芳香部材２１１を内装させて、芳香量を可変できるように構成しても良く、マジックテープ２１２を介して芳香容器２１６ごとヘルメット本体や帽子本体１１、１２、１４に着脱可能に取着させたり、芳香容器２１６をヘルメット本体や帽子本体１１、１２、１４に固着させる。
【００１７】
また、この芳香部材２１１は、図３に示すように、キャップ型帽子本体１１のつば部１３の裏側のほぼ全域に設けたり、図４に示すように、ハット型帽子本体１２のつば部１３の裏側のほぼ全域に設けても良いものである。
【００１８】
以上のように構成された頭部着用体は、かかる頭部着用体を着用するだけで、仕事に従事している場合や、屋外での遮光目的の場合等、さまざま環境下においても芳香療法ができる。また、芳香効果が薄れたときは、芳香部材２１１を取り替えるだけで、新たに芳香効果が発揮できる。
なお、本実施の形態では、キャップ型帽子、ハット型帽子、ニット帽を例示しているが、帽子やヘルメットの形態は特に限定されない。また、芳香部材２１１や芳香容器２１６を両面テープで帽子本体やヘルメットに貼着しても良い。
【００１９】
（実施の形態２）
実施の形態２は、頭部着用体用芳香体２２を例示している。
実施の形態２にかかる頭部着用体用芳香体２２は、図５に示すように、略Ｕ字状に折り曲げ形成された弾性変形可能なクリップ部２２１と、そのクリップ部２２１に固着され芳香部材２１１が内装された芳香容器２２２とを備えて構成されている。この芳香容器２２２は、略円筒状を呈しており、その筒内に芳香部材２１１が内装されている。
【００２０】
また、この芳香容器２２２は、実施の形態１で例示した芳香容器２１６にして、芳香量を可変できるようにしても良い。
【００２１】
以上のように構成された実施の形態２にかかる頭部着用体用芳香体２２は、既存の帽子やヘルメットのつば部１３やニット帽本体１４の端部にクリップ部２２１を挟み込ませるだけで、仕事に従事している場合や、屋外での遮光目的の場合等、さまざま環境下においても芳香療法ができる。また、芳香効果が薄れたときは、この頭部着用体用芳香体２２ごと取り替えるだけで、新たに芳香効果が発揮できる。
【００２２】
以上、本実施の形態にかかる頭部着用体および頭部着用体用芳香体を説明したが、上述した実施の形態は、本発明の好適な実施の形態の一例を示すものであり、本発明は上記した実施の形態に限定されるものではなく、その要旨を逸脱しない範囲内において、種々変形実施が可能である。
【図面の簡単な説明】
【００２３】
【図１】実施の形態１にかかる頭部着用体であり、（ａ）キャップ型帽子の斜視図である。（ｂ）ハット型帽子の斜視図である。（ｃ）ニット帽の斜視図である。
【図２】帽子本体への取り付け例であり、（ａ）マジックテープを用いた場合の拡大側面図である。（ｂ）縫着した場合の拡大側面図である。（ｃ）芳香容器を用いた場合の平面図である。
【図３】頭部着用体の他の変形例を示し、（ａ）キャップ型帽子の斜視図である。（ｂ）キャップ型帽子の底面図である。
【図４】頭部着用体の他の変形例を示し、（ａ）ハット型帽子の斜視図である。（ｂ）ハット型帽子の底面図である。
【図５】実施の形態２にかかる頭部着用体用芳香体であり、（ａ）平面図である。（ｂ）側面図である。
【符号の説明】
【００２４】
１１  キャップ型帽子本体
１２  ハット型帽子本体
１３  つば部（ブリム）
１４  ニット帽本体
２１  芳香部
２１１  芳香部材
２１２  マジックテープ
２１３  下蓋
２１４  開口部
２１５  上蓋
２２  頭部着用体用芳香体
２１６、２２２  芳香容器
２２１  クリップ部
【図１】
2005220477.tif 000003
【図２】
2005220477.tif 000004
【図３】
2005220477.tif 000005
【図４】
2005220477.tif 000006
【図５】
2005220477.tif 000007